【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
断面が円形、などのなどの楕円形真鍮鋼、ステンレス鋼、ピアノ線鋼、銅鋼、鋼、チタン鋼などで針の軸頭部をハリス止め形状に加工し、端部をもう一方の軸部に巻きつけるか、溶接、半田付けか、端部と軸部と共によじるかによって固定し軸部中央部よりフックの間による適合箇所にハリス止め形状に加工し折り返し軸部の端部をもう一方の軸部に巻きつけるか、両軸を共によじるかによって固定し、針先からハリス止めまで一本の適合素材に拠って一体式に作られた釣針
【請求項２】
断面が円形、楕円形などの真鍮鋼、ステンレス鋼、ビアの線鋼、銅鋼、鋼、チタン鋼などで針の軸頭部をハリス止め形状に加工し、端部をもう一方の軸部に巻きつけるか、溶接、半田付けか、両軸と共によじるかによって固定し軸中央部よりフック部の間による適合箇所に円形、楕円形、菱形、三角形などの適合するリング形状に加工し折り返し、軸部をもう一方の軸部に巻くか溶接、半田付け、もしくは両軸とも共によじるかによって固定し、針先からハリス止めまで一本の適合素材に拠って一体式に作られた釣針
【請求項３】
断面が円形、楕円形などの真鍮鋼、ステンレス鋼、ビアの線鋼、銅鋼、鋼、チタン鋼などによるハリス止め形状物を針の軸頭部と軸中央部よりフック部の間による適合箇所にハリス止め形状物の軸部を溶接、半田付けもしくは巻きつけるか、両軸と共によじるかによって装着され、ハリス止めと針と一体式に作られた釣針
【請求項４】
断面が円形、楕円形などによるハリス止め形状物を軸頭部に円形、楕円形、菱形、三角形などの適合するリング形状物の軸を針の軸中央部からフック部の間による適合箇所に巻き付けるか、溶接、半田付けか、両軸とも共によじるかによって装着された、ハリス止めと針と一体式に作られた釣針
【請求項５】
針の軸頭部にハリス止め形状物を持ち軸部よりフック部に対しリング形状部又はハリス止め形状部を有し、フック部から針先まで一本の真鍮鋼、ステンレス鋼、ビアノ線鋼、銅鋼、鋼、チタン鋼などで請求項１請求項２の方式で作られている釣針
【請求項６】
断面が円形、楕円形などの真鍮鋼、ステンレス鋼、ビアの線鋼、銅鋼、鋼、チタン鋼などで針の軸頭部をハリス止め形状に加工し、軸部の端部をもう一方の軸部に巻きつけるか、溶接もしくは半田付けなどに拠って端部をもう一方の軸に固定するか、両軸と共によじるかによって固定された、針先からハリス止めまで一本の適合素材によって一体式に作られた釣針
【請求項７】
断面が円形、楕円形などの真鍮鋼、ステンレス鋼、ビアの線鋼、銅鋼、鋼、チタン鋼などで針の軸頭部からフック部に対し両ハリス止め形状に加工し、軸部の端部をもう一方の軸部に巻きつけるか、溶接もしくは半田付けなどに拠って端部をもう一方の軸に固定するか、両軸と共によじるかによって固定された、針先からハリス止めまで一本の適合素材によって一体式に作られた釣針
【請求項８】
断面が円形、楕円形などの真鍮鋼、ステンレス鋼、ビアの線鋼、銅鋼、鋼、チタン鋼などの一本の適合素材によって軸頭部又はフック部にハリス止め形状部又はリング状形状部まで、一本の素材で針先からハリス止め部、リング形状部まで、一本の適合素材によって一体式に作られた釣針
【手続補正２】
【補正対象書類名】明細書
【補正対象項目名】全文
【補正方法】変更
【補正の内容】
【発明の詳細な説明】
【発明の名称】針の軸頭部とフック部にハリス止めかリングを持つ釣針
【技術分野】
【０００１】当発明は針の軸頭部と軸頭部からフック部に対しハリス止め形状にして針先からハリス止めまで一本の適合素材によって一体式に作られた物、軸頭部にハリス止め形状、軸中央部よりフック部に対し適合箇所にリング形状又はハリス止め形状を有する、軸頭部のハリス止めから針先まで一本の適合素材によって一体式に作られた物、ハリス止めを軸頭部とフック部に半田付け、溶接などで装着した物、ハリス止めを軸頭部に軸中央部よりフック部にリング形状物を溶接、半田付けなどに拠って一体式に作られた釣針は鮎のへそ針から背針、一般的な魚釣りの針である。当発明の針を用いれば鮎の友釣り針の装着と鼻官が装着されている糸に装着が簡単に出来、さらに一般的な魚釣りのハリスにも針が簡単に装着できる。
鼻官が装着されている糸の長さの調節もへそ針のリング形状又はハリス止め形状に拠って調節が出来る。
針の軸頭部にハリス止め形状にして針先まで一本の材料で一体式に加工した物、軸頭部にハリス止め形状に加工し軸中央部よりフック部まで適合箇所にリング形状もしくはハリス止め形状を設け針先まで一体式に作る事で便利かつ軽量なへそ針が出来る。
現在はへそ針の軸頭部にハリス止めの軸部と針の軸部を沿わせ、半田付けされている物フック部にリング形式の軸を針に沿わせて半田付けされているものが有るが、軸頭部にハリス止め軸中央部からフック部にハリス止部かリングを有し一体式に作られた針は無い、更に軸頭部のハリス止めから針先まで一本の材料で一体式に作られ接着剤を使わずにハリス止めに糸を付ける針は無い、現在はへそ針を糸に固定するのに結び糸と接着剤、又は結び糸を使い装着されているのが現状であるが、結び糸も接着剤も不要となる。
【産業上の技術分野】
【０００２】魚釣用釣針
【背景技術】
【０００３】鮎の友釣りの仕掛けは鼻官からへそ針（逆さ針）部分まで、又は仕掛け針まで糸でつながっている。へそ針は鼻官から仕掛け針までの糸に針の軸部を沿わせて、結び接着剤に拠って固定している物と鼻官からの糸をへそ針部分までにして針の軸部にハリス止めを沿わせて結び糸に拠って結び、接着剤で固定している物と針とハリス止めを半田付けし、鼻官からの糸に結び糸によって結び接着剤を持って固定されている物などが有るが、これら全ては結び糸と接着剤は必要に成っている。
【発明が解決する為の手段】
【０００４】軽量かつ簡単に糸に付けれる針
【発明が解決する為の手段】
【０００５】軸頭部をハリス止め形状と軸中央部よりフック部までの間による適合箇所にハリス止め形状を設けることで鼻官からの糸とへそ針が簡単に固定できる。
【０００６】軸頭部をハリス止め形状と軸中央部よりフック部までの間による適合箇所にリングを設けることで鼻官からの糸とへそ針が簡単に固定できる。
【０００７】軸頭部をハリス止め形状物と軸中央部よりフック部のまによる適合箇所と両方にハリス止め形状又はリング形状を設けることで、軽量にでき、鼻官からの糸を針先の仕掛けまで通しで友釣り様の仕掛けが簡単にできる。
【発明の実態の形態】
【０００８】発明の実施形態を実施例に基づき図面を参照して説明する。
図１Ａ軸頭部ハリス止め形状に加工しＦ１の端部をＢ軸部に巻き付けるか両軸と共によじるかに拠って固定し軸中央部分よりフック部に対し適応箇所にＣハリス止め形状に加工し更にＥフック部を作るながさを見越しＧ折返し軸部をＢ軸部に巻きつけるか両軸を共によじりＥフック部からＪ針先までつくる。
【０００９】図２Ａ軸頭部ハリス止め形状に加工しＦ１の端部をＢ軸部に巻きつけるか両軸と共によじるかに拠って固定し軸中央よりフック部に対し適応箇所にＥフック部の長さを見越しＤリング形状を設け、Ｇ折返し軸部をＢ軸部に巻きつけるか両軸を共によじりＥフック部からＪの針先までつくる。
【００１０】図３の１はＡ軸頭部ハリス止め形状物のＦ２Ｆ３の端部を針のＢ軸部に巻きつけＢ軸部中央よりＥフック部の間による適合箇所にハリス止め形状物Ｆ２Ｆ３端部を針の軸に巻きつけ固定された釣針図３の２はＡ軸頭部ハリス止め形状物のＦ２Ｆ３端部と針の軸と共によじり固定しＣハリス止め形状物のＦ２Ｆ３と針Ｂ軸部と共によじって固定し釣針が作られている部分図である。
【００１１】図４の１はＡ軸頭部ハリス止め形状物のＦ２Ｆ３端部とＢ軸中央よりフック部の間による適合箇所にＤリング形状物のＦ２Ｆ３端部を針のＢ軸部に巻きつけて固定されている、釣針図４の２はＡ軸頭部ハリス止め形状物の端部Ｆ２Ｆ３を針のＢ軸部と共によじりＢ軸中央部よりフック部の間による適合箇所にＤリング形状物の端部Ｆ２Ｆ３を針のＢ軸部と共によじり固定して釣針が作られている部分図である。
【００１２】図５の１はＡ軸頭部ハリス止め形状物Ｃハリス止め形状物の端部Ｆ１Ｆ２Ｆ３を針Ｂ軸部に沿わせて半田付けして作られている釣針
【００１３】図６はＫ軸頭部からフック部に対し両ハリス止め形状に加工し、Ｆ１の端部をＢ軸部に巻きつけるか、共によじるか、Ｆ１の端部をＢ軸部に溶接、半田付け等により端部を固定し、Ｊ針先からハリス止めまで一本の適合素材によって一体式に作られた釣針、図７は軸頭部をＡハリス止め形状にハリス止め加工し、Ｆ１の端部をＢ軸部に巻きつけるか、共によじるか、Ｆ１の端部をＢ軸部に溶接、半田付け等により端部を固定し、Ｊ針先からハリス止めまで一本の適合素材によって一体式に作られた釣針である。
【図面の簡単な説明】
【００１４】
【図１】Ａ軸頭部ハリス止め形状部に加工しＣ軸中央部より、フック部までの適合箇所にハリス止め形状加工し、さらにＥフック部からＪまでの正面加工図である。
【図２】Ａ軸頭部ハリス止め形状部に軸中央部よりフック部に対し適応箇所にＤリング形状Ｅとフック部からＪまでの正面加工図である。
【図３】１のＡ軸頭部ハリス止め形状部と軸中央部よりフック部の間による、適合箇所にハリス止め形状物のＦ２端部Ｆ３端部を針の軸に巻きつけて固定されている釣針の正面図と２は軸同士を共によじった部分図である。
【図４】１はＡ軸頭部、ハリス止め形状部と軸中央部よりフック部の間による敵合箇所にリング形状物のＦ２端部Ｆ３端部を針に巻きつけて固定されている釣針の正面図と２は軸同士を共によじった部分図である。
【図５】１はＡハリス止め形状部と軸中央部よりフックの間による適合箇所Ｃハリス止め形状物を半田付けし固定して作られている釣針の正面図である。
【図６】軸頭部からフック部に対し両ハリス止め形状に加工し、Ｆ１の端部をＢ軸部に巻き付けるか、共によじるか、Ｆ１の端部をＢ軸部に半田付けまたは溶接に拠って端部を固定し、Ｊ針先からハリス止めまで一本に拠って一体式に作られた釣針の正面図である。
【図７】軸頭部をＡハリス止め形状に加工し、Ｆ１の端部をＢ軸部に巻きつけるか、共によじるか、Ｆ１の端部をＢ軸部に半田付け又は溶接に拠って端部を固定し、Ｊ針先からハリス止めまで一本に拠って一体式に作られた釣針の正面図である。
【符合の説明】
Ａ  ハリス止め形状部
Ｂ  軸部
Ｃ  軸中央よりフック部の間による適合箇所のハリス止め形状部
Ｄ  軸中央よりフック部の間による適合箇所のリング形状部
Ｅ  フック部
Ｆ  １Ｆ２Ｆ３Ｆ端部
Ｇ  折返し軸部
Ｈ  針の軸にＡ，Ｄなどの軸を沿わせて半田付けされている箇所
Ｊ  針先
Ｋ  両ハリス止め形状部
【手続補正３】
【補正対象書類名】図面
【補正対象項目名】図６
【補正方法】追加
【補正の内容】
【図６】
2008054653.tif 000001
【手続補正４】
【補正対象書類名】図面
【補正対象項目名】図７
【補正方法】追加
【補正の内容】
【図７】
2008054653.tif 000002